【事件の表示】
　特許第３０３９９１２号「シャッターボックス付きサッシ」の請求項１に係る特許に対する特許異議の申立てについて、次のとおり決定する。
【結　論】
　訂正を認める。
　特許第３０３９９１２号の請求項１に係る特許を維持する。
【理　由】
１．手続の経緯
　本件特許第３０３９９１２号に係る出願は、平成７年７月５日の出願であって、平成１２年３月３日に特許の設定登録がなされ、その後、斉藤敬三から特許異議の申立がなされ、取消理由が通知され、その指定期間内である平成１３年４月１０日に訂正請求がなされたものである。
　
２．訂正の要旨
　訂正事項ａ：特許請求の範囲の請求項１の記載を、次のように訂正する。
　以下の要件を備えたことを特徴とするシャッターボックス付きサッシ。
（イ）両側の縦枠と、この縦枠の中途部に配される中枠と、縦枠の下端部に配される下枠とからサッシ枠部を枠組み形成するとともに、上記中枠とこの中枠よりも上方に延出された縦枠の延長部と、この延長部の上端部に配される上枠とからボックス取付枠部を枠組み形成したこと。
（ロ）上記縦枠のサッシ枠部に対応する部分は、建屋開口部の内側に嵌合するように屋内側に張り出し形成され、上記縦枠のボックス取付枠部に対応する部分の屋内側端面は、建屋開口部を構成するまぐさの上部に設けられた躯体基礎材の屋外面に当接可能に形成されていること
（ハ）上記サッシ枠部は建屋躯体の開口部に固定可能に、上記ボックス取付枠部は上記開口部の上部に設けられた躯体基礎材の屋外側に固定可能に形成されていること。
（ニ）見込幅は建屋躯体の外壁の厚みよりも大きく形成されていること。
（ホ）上記サッシ枠部には障子を摺動自在に収納し、上記ボックス取付枠部にはシャッターボックスを取付けたこと
（ヘ）上記サッシ枠部は上記ボックス取付枠部よりも屋外側に張り出し、サッシ枠部の屋外側の張り出し部上に上記シャッターボックスが配置されること。
　訂正事項ｂ：明細書の段落【０００７】の記載を、次のように訂正する。
【課題を解決するための手段】前記課題を解決するため、本発明に係るシャッターボックス付きサッシは、以下の要件を備えたことを特徴とする。
（イ）両側の縦枠と、この縦枠の中途部に配される中枠と、縦枠の下端部に配される下枠とからサッシ枠部を枠組み形成するとともに、上記中枠とこの中枠よりも上方に延出された縦枠の延長部と、この延長部の上端部に配される上枠とからボックス取付枠部を枠組み形成したこと。
（ロ）上記縦枠のサッシ枠部に対応する部分は、建屋開口部の内側に嵌合するように屋内側に張り出し形成され、上記縦枠のボックス取付枠部に対応する部分の屋内側端面は、建屋開口部を構成するまぐさの上部に設けられた躯体基礎材の屋外面に当接可能に形成されていること
（ハ）上記サッシ枠部は建屋躯体の開口部に固定可能に、上記ボックス取付枠部は上記開口部の上部に設けられた躯体基礎材の屋外側に固定可能に形成されていること。
（ニ）見込幅は建屋躯体の外壁の厚みよりも大きく形成されていること。
（ホ）上記サッシ枠部には障子を摺動自在に収納し、上記ボックス取付枠部にはシャッターボックスを取付けたこと。
（ヘ）上記サッシ枠部は上記ボックス取付枠部よりも屋外側に張り出し、サッシ枠部の屋外側の張り出し部上に上記シャッターボックスが配置されること。
　
３．訂正の適否
（１）訂正の目的の適否、新規事項の有無及び拡張・変更の存否
　上記訂正事項ａに係る訂正は、特許請求の範囲の減縮を目的とするものであり、願書に添付した明細書又は図面に記載した事項の範囲内のものであり、さらに、実質上特許請求の範囲を拡張し、又は変更するものではない。
　また、訂正事項ｂに係る訂正は、訂正事項ａに関連してなされた明りょうでない記載の釈明に該当し、願書に添付した明細書又は図面に記載した事項の範囲内のものであり、さらに、実質上特許請求の範囲を拡張し、又は変更するものではない。
　したがって、上記訂正は、特許法第１２０条の４第２項及び第３項で準用する特許法第１２６条第２項および第３項の規定に適合するので、当該訂正を認める。
　
４．異議の申立てについての判断
（１）本件訂正後発明
　本件訂正明細書の請求項１に係る発明は、訂正明細書の特許請求の範囲の請求項１に記載された下記の事項により特定されるとおりのものである（以下、「訂正後発明１」という。）。
【請求項１】　以下の要件を備えたことを特徴とするシャッターボックス付きサッシ。
（イ）両側の縦枠と、この縦枠の中途部に配される中枠と、縦枠の下端部に配される下枠とからサッシ枠部を枠組み形成するとともに、上記中枠とこの中枠よりも上方に延出された縦枠の延長部と、この延長部の上端部に配される上枠とからボックス取付枠部を枠組み形成したこと。
（ロ）上記縦枠のサッシ枠部に対応する部分は、建屋開口部の内側に嵌合するように屋内側に張り出し形成され、上記縦枠のボックス取付枠部に対応する部分の屋内側端面は、建屋開口部を構成するまぐさの上部に設けられた躯体基礎材の屋外面に当接可能に形成されていること
（ハ）上記サッシ枠部は建屋躯体の開口部に固定可能に、上記ボックス取付枠部は上記開口部の上部に設けられた躯体基礎材の屋外側に固定可能に形成されていること。
（ニ）見込幅は建屋躯体の外壁の厚みよりも大きく形成されていること。
（ホ）上記サッシ枠部には障子を摺動自在に収納し、上記ボックス取付枠部にはシャッターボックスを取付けたこと
（ヘ）上記サッシ枠部は上記ボックス取付枠部よりも屋外側に張り出し、サッシ枠部の屋外側の張り出し部上に上記シャッターボックスが配置されること。
　
（２）申立ての理由の概要
　申立人斉藤敬三は、証拠として、甲第１号証（三協アルミニウム工業株式会社カタログ　シャッター一体サッシ「シェフリーナ」　１９９４年（平成６年）６月発行　ｐ．１７，３４，３６，３８，５４，５７，８８）を提出して、本件請求項１に係る特許発明は、甲第１号証に記載された発明に基づいて、当業者が容易に発明をすることができたものであるから、特許法第２９条第２項の規定により特許を受けることができないものであり、本件の特許を取り消すべきであると主張している。
　
（３）甲第１号証記載の発明
　甲第１号証には、第１７頁の「シャッターユニットは、ボックス前面部よりカバーをはずして容易に脱着できる構造としています。」、「シャッターボックスの前面部は、ボックスカバーとして脱着できる構造としています。したがって外壁仕上後に誤ってボックス前面部を損傷した場合でも取りかえることができます。（但し、前面ボックスカバー部のみ）」の記載及び図面、第３４頁「組み立て・取り付け　各部の名称」外観姿図、第３８頁「組み立て・取り付け　２．枠の取り付け　組んだ枠を躯体にはめた後、下図の位置をねじ止めしてください。」の記載及び図面及び第５７頁の基準図（竪断面、横断面）からみて、「両側の左右竪枠と、この竪枠の中途部に配されるサッシ上枠と、竪枠の下端部に配される下枠とからサッシ枠部を枠組み形成するとともに、サッシ上枠とこのサッシ上枠よりも上方の竪枠の上方部分と、その上端部に配されるシャッター上枠とからシャッターボックスを枠組み形成し、躯体の開口部にはめ、竪枠のサッシ枠部に対応する部分は、躯体の開口部の内側に嵌合するように屋内側に張り出し形成され、シャッターボックスの前面部は、ボックスカバーとして脱着・取りかえできる構造とし、サッシ枠部は、開口部に固定可能に形成され、竪枠のシャッターボックスに対応する部分は、開口部を構成するまぐさの上部に設けられた躯体基礎材の屋外面に当接可能に形成されていて、シャッターボックスは、開口部の上部に設けられた躯体基礎材の屋外側に固定可能に形成され、見込幅は躯体の外壁の厚みよりも大きく形成され、サッシ枠部には障子を摺動自在に収納し、シャッターボックスにはシャッターユニットが脱着自在に収納されているシャッター一体サッシ」が記載されている。
　
（４）対比・判断　
　本件訂正後発明１と、甲第１号証に記載された発明とを比較すると、甲第１号証に記載された発明の「竪枠」、「サッシ上枠」、「竪枠の上方部分」、「シャッター上枠」及び「シャッター一体サッシ」は、それぞれの機能に照らし、各々、訂正後発明１の「縦枠」、「中枠」、「縦枠の延長部」、「上枠」及び「シャッターボックス付きサッシ」に相当し、甲第１号証に記載された発明の「シャッターボックス」と、訂正後発明１の「ボックス取付枠部」はいずれも、「枠部」であるから、両者は、「両側の縦枠と、この縦枠の中途部に配される中枠と、縦枠の下端部に配される下枠とからサッシ枠部を枠組み形成するとともに、上記中枠とこの中枠よりも上方に延出された縦枠の延長部と、この延長部の上端部に配される上枠とから枠部を枠組み形成し、上記縦枠のサッシ枠部に対応する部分は、建屋開口部の内側に嵌合するように屋内側に張り出し形成され、上記縦枠の延長部の屋内側端面は、建屋開口部を構成するまぐさの上部に設けられた躯体基礎材の屋外面に当接可能に形成され、上記サッシ枠部は建屋躯体の開口部に固定可能に、上記枠部は上記開口部の上部に設けられた躯体基礎材の屋外側に固定可能に形成され、見込幅は建屋躯体の外壁の厚みよりも大きく形成され、上記サッシ枠部には障子を摺動自在に収納した、シャッターボックス付きサッシ」の点で一致し、下記の点で相違している。
ａ．訂正後発明１では、枠部がシャッターボックスを取付けるためのボックス取付枠部であって、サッシ枠部はボックス取付枠部よりも屋外側に張り出し、サッシ枠部の屋外側の張り出し部上に、シャッターボックスが配置されているのに対し、甲第１号証に記載された発明では、ボックス取付枠部がなく、枠部がシャッターボックスそのものであるから、そのような構成を有していない点。
　これに対して、当審が先に通知した取消理由で引用した、実願平２−１０８９５５号（実開平４−６６２８９号）のマイクロフィルム（以下、「引用例」という。）には、実用新案登録請求の範囲、第４頁第２行から第５頁第４行の記載及び第１〜４図を参照すると、「両側の縦枠と、この縦枠の中途部に配される上側の横枠（訂正後発明１の「中枠」に相当）と、縦枠の下端部に配される横枠（訂正後発明１の「下枠」に相当）とからサッシュ枠（訂正後発明１の「サッシ枠部」に相当）を枠組み形成するとともに、上側の横枠と、この上側の横枠よりも上方まで延出されている縦枠の延出部分（訂正後発明１の「延長部」に相当）と、この延出部分の上端間を連結する別の横枠（訂正後発明１の「延長部の上端部に配される上枠」に相当）とからシャッターの収納ボックスの取付枠（訂正後発明１の「ボックス取付枠部」に相当）を枠組み形成し、縦枠を充分な強度で建物躯体の屋外側に装着可能で、建物の開口部（訂正後発明１の「建屋開口部」に相当）にサッシュ枠は取付けられるようになっており、サッシュ枠には障子を摺動自在に収納し、シャッターの収納ボックスの取付枠にはシャッターの収納ボックス（訂正後発明１の「シャッターボックス」に相当）を固定した、シャッターの収納ボックス取付サッシュ（訂正後発明１の「シャッターボックス付きサッシ」に相当）」が記載されており、ボックス取付枠部を用いてシャッターボックスを取付けたシャッターボックス付きサッシが記載されているといえるが、これを、ボックス取付枠部のない甲第１号証に記載された発明のシャッター一体サッシに適用する蓋然性がなく、また、上記引用例には、サッシ枠部はボックス取付枠部よりも屋外側に張り出し、サッシ枠部の屋外側の張り出し部上に、シャッターボックスが配置されている点は記載されておらず、両者を組合わせて上記相違点ａにおける訂正後発明１のようにすることは、当業者が容易に想到することができたものとはいえない。そして、訂正後発明１は、当該事項によって明細書記載の作用効果を奏するものである。
　
５．むすび
　以上のとおりであるから、異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１３年５月７日（２００１．５．７）
【訂正の要旨】
訂正の要旨
　特許第３０３９９１２号の明細書を、特許請求の範囲の減縮を目的として訂正事項ａ、のように、また、訂正事項ａに関連してなされた明りょうでない記載の釈明を目的として訂正事項ｂのように訂正する。
　訂正事項ａ：特許請求の範囲の【請求項１】を、次のように訂正する。
　以下の要件を備えたことを特徴とするシャッターボックス付きサッシ。
（イ）両側の縦枠と、この縦枠の中途部に配される中枠と、縦枠の下端部に配される下枠とからサッシ枠部を枠組み形成するとともに、上記中枠とこの中枠よりも上方に延出された縦枠の延長部と、この延長部の上端部に配される上枠とからボックス取付枠部を枠組み形成したこと。
（ロ）上記縦枠のサッシ枠部に対応する部分は、建屋開口部の内側に嵌合するように屋内側に張り出し形成され、上記縦枠のボックス取付枠部に対応する部分の屋内側端面は、建屋開口部を構成するまぐさの上部に設けられた躯体基礎材の屋外面に当接可能に形成されていること
（ハ）上記サッシ枠部は建屋躯体の開口部に固定可能に、上記ボックス取付枠部は上記開口部の上部に設けられた躯体基礎材の屋外側に固定可能に形成されていること。
（ニ）見込幅は建屋躯体の外壁の厚みよりも大きく形成されていること。
（ホ）上記サッシ枠部には障子を摺動自在に収納し、上記ボックス取付枠部にはシャッターボックスを取付けたこと
（へ）上記サッシ枠部は上記ボックス取付枠部よりも屋外側に張り出し、サッシ枠部の屋外側の張り出し部上に上記シャッターボックスが配置されること。
　訂正事項ｂ：明細書の段落【０００７】の記載を、次のように訂正する。
　【課題を解決するための手段】前記課題を解決するため、本発明に係るシャッターボックス付きサッシは、以下の要件を備えたことを特徴とする。
（イ）両側の縦枠と、この縦枠の中途部に配される中枠と、縦枠の下端部に配される下枠とからサッシ枠部を枠組み形成するとともに、上記中枠とこの中枠よりも上方に延出された縦枠の延長部と、この延長部の上端部に配される上枠とからボックス取付枠部を枠組み形成したこと。
（ロ）上記縦枠のサッシ枠部に対応する部分は、建屋開口部の内側に嵌合するように屋内側に張り出し形成され、上記縦枠のボックス取付枠部に対応する部分の屋内側端面は、建屋開口部を構成するまぐさの上部に設けられた躯体基礎材の屋外面に当接可能に形成されていること
（ハ）上記サッシ枠部は建屋躯体の開口部に固定可能に、上記ボックス取付枠部は上記開口部の上部に設けられた躯体基礎材の屋外側に固定可能に形成されていること。
（ニ）見込幅は建屋躯体の外壁の厚みよりも大きく形成されていること。
（ホ）上記サッシ枠部には障子を摺動自在に収納し、上記ボックス取付枠部にはシャッターボックスを取付けたこと。
（へ）上記サッシ枠部は上記ボックス取付枠部よりも屋外側に張り出し、サッシ枠部の屋外側の張り出し部上に上記シャッターボックスが配置されること。
（５４）【発明の名称】
シャッターボックス付きサッシ
（５７）【特許請求の範囲】
　【請求項１】　以下の要件を備えたことを特徴とするシャッターボックス付きサッシ。
（イ）両側の縦枠と、この縦枠の中途部に配される中枠と、縦枠の下端部に配される下枠とからサッシ枠部を枠組み形成するとともに、上記中枠とこの中枠よりも上方に延出された縦枠の延長部と、この延長部の上端部に配される上枠とからボックス取付枠部を枠組み形成したこと。
（ロ）上記縦枠のサッシ枠部に対応する部分は、建屋開口部の内側に嵌合するように屋内側に張り出し形成され、上記縦枠のボックス取付枠部に対応する部分の屋内側端面は、建屋開口部を構成するまぐさの上部に設けられた躯体基礎材の屋外面に当接可能に形成されていること
（ハ）上記サッシ枠部は建屋躯体の開口部に固定可能に、上記ボックス取付枠部は上記開口部の上部に設けられた躯体基礎材の屋外側に固定可能に形成されていること。
（ニ）見込幅は建屋躯体の外壁の厚みよりも大きく形成されていること。
（ホ）上記サッシ枠部には障子を摺動自在に収納し、上記ボックス取付枠部にはシャッターボックスを取付けたこと
（ヘ）上記サッシ枠部は上記ボックス取付枠部より屋外側に張り出し、サッシ枠部の屋外側の張り出し部上に上記シャッターボックスが配置されること。
【発明の詳細な説明】
　【０００１】
　【発明の属する技術分野】
　本発明は共通の縦枠の下部にサッシ枠部を、上部にボックス取付枠部を一体に構成し、ボックス取付枠部にシャッターボックスを取り付けたシャッターボックス付きサッシに関する。
　【０００２】
　【従来の技術】
　最近、建屋の開口部に設けられたサッシに、雨戸の代りにシャッターボックスを付設し、シャッターボックスからシャッターを引き出して窓を覆う例が増えている。このようなシャッターボックス付きのサッシは、サッシとシャッターボックスとを別個に組み立て、施工も別個に行なうタイプのものと、サッシとシャッターボックスとを一体に形成しておき、一度に施工するタイプのものが知られている。
　【０００３】
　【発明が解決しようとする課題】
　ところで、前者においては、サッシもシャッターボックスも標準規格の建屋開口部に取り付けることはできるが、初めにサッシを取り付け施工し、その後にシャッターボックスを後付け施工するという２段階方式とならざるをえず、この方式ではそれぞれ施工が終らない限り外壁を施工することはできないから、施工期間が長びくという問題があった。さらに、シャッターボックスの周縁にはシーリング処理や外壁仕上げがなされるので、シャッターの保守作業を行なう場合、シャッターボックスの前部を開いて行なう簡単な修理はできるが、シャッターボックス自体を交換する必要があるような場合には、外壁を壊してシャッターボックスを取り外さなければならないので、作業が非常に複雑になり、費用もかなりかかってしまうという問題がある。
　【０００４】
　また、後者の場合は、シャッターボックスと障子枠とがユニット化されているから、通常のサッシ枠部に比べてかなり縦長となり、全体の重量も重い（特に上部のシャッター部分が重くて不安定）ので、施工が面倒であるほか、建屋躯体には標準規格とは異なる専用の大きな開口部を予め形成しておく必要があるので、通常のサッシ用開口部に後付けしたり、上記ユニットサッシを取り付けた後に通常のサッシに取り付け変更したりするためには、開口部から工事し直さなければならない。また、シャッターボックスはサッシ全体の一部を構成し、その周縁にはシーリング処理や外壁仕上げがなされているから、交換が必要な場合でもシャッターボックスのみを外すということはできない。
　【０００５】
　このように、従来の方式では、主にシャッターボックスの取り外し、交換等の作業は実際上ほとんど不可能なので、シャッターボックスの前蓋を取り外して行なう程度の限定的な保守作業しかできなかった。
　【０００６】
　本発明は前記問題点を解消し、標準規格の建屋開口部に取り付けられるとともに、施工が楽であり、さらにシャッターボックスの取り外し、交換等も簡単に行なうことができるシャッターボックス付きサッシを提供することをその課題とする。
　【０００７】
　【課題を解決するための手段】
　前記課題を解決するため、本発明に係るシャッターボックス付きサッシは、以下の要件を備えたことを特徴とする。
（イ）両側の縦枠と、この縦枠の中途部に配される中枠と、縦枠の下端部に配される下枠とからサッシ枠部を枠組み形成するとともに、上記中枠とこの中枠よりも上方に延出された縦枠の延長部と、この延長部の上端部に配される上枠とからボックス取付枠部を枠組み形成したこと。
（ロ）上記縦枠のサッシ枠部に対応する部分は、建屋開口部の内側に嵌合するように屋内側に張り出し形成され、上記縦枠のボックス取付枠部に対応する部分の屋内側端面は、建屋開口部を構成するまぐさの上部に設けられた躯体基礎材の屋外面に当接可能に形成されていること
（ハ）上記サッシ枠部は建屋躯体の開口部に固定可能に、上記ボックス取付枠部は上記開口部の上部に設けられた躯体基礎材の屋外側に固定可能に形成されていること。
（ニ）見込幅は建屋躯体の外壁の厚みよりも大きく形成されていること。
（ホ）上記サッシ枠部には障子を摺動自在に収納し、上記ボックス取付枠部にはシャッターボックスを取付けたこと。
（ヘ）上記サッシ枠部は上記ボックス取付枠部より屋外側に張り出し、サッシ枠部の屋外側の張り出し部上に上記シャッターボックスが配置されること。」
　【０００８】
　【発明の実施の形態】
　図１はシャッターボックス付きサッシで、このサッシは共通の縦枠１を介して障子等を収納するサッシ枠部ａとシャッターボックスを取り付けるボックス取付枠部ｂとを一体に形成したもので、図２に示される建屋開口部ｃに取り付け可能に構成されている。
　【０００９】
　なお、建屋開口部ｃは詳しくは同図のように通常の軸組み工法によって構成された標準規格の開口部ｃで、土台５の上部に配設された根太６と、根太６から立設された２本の柱７と、柱７間に配置されたまぐさ８との間に形成されている。なお、柱７の両側にも複数の柱７ａが配設され、まぐさ８の上部には間柱９が取り付けられている。これらの根太６、柱７、７ａ、まぐさ８、間柱９等は外壁の下地材でもある。
　【００１０】
　サッシ枠部ａは縦枠１と、この縦枠１の中途部に配される中枠２と、縦枠１の下端部に配される下枠３とから枠組み形成されている。また、サッシ枠部ａの屋内側は建屋開口部ｃに嵌合されるように形成されている。
　【００１１】
　縦枠１は通常の半外付けサッシとほぼ同じ断面形状を有し、図４に示されるように外側面には取付縁１０が突出形成されている。また、縦枠１のサッシ枠部ａに対応する部分は、中枠２と下枠３の形状に応じて屋内側と屋外側に張り出し、内側面には障子・網戸の案内縁１１と額縁の受け縁１２が形成されているとともに、屋外側の張り出し部１ａにはシャッターレール１３が固定されている。屋内側の張り出し部１ｂは建屋の開口部ｃの内側に嵌合するように形成されている。さらに、縦枠１のボックス取付枠部ｂに対応する部分の屋内側端面１４は、建屋の開口部ｃを構成するまぐさ８の上部に設けられた躯体基礎材（間柱９）の屋外面に当接するように形成されている。
　【００１２】
　中枠２と下枠３も、それぞれ通常の半外付けサッシの上枠と下枠と基本的にほぼ同じ断面形状を有し、中枠２の下面には障子案内縁１５と網戸案内縁１６と額縁の受け縁１７とが形成され、上面には取付縁１８が形成されているとともに、この取付縁１８には係合溝１９が形成されている。下枠３の上面には障子レール２０と網戸レール２１とシャッター受け縁２２と床材受け縁２３とが形成され、下面には取付縁２６が形成されている。
　【００１３】
　次に、ボックス取付枠部ｂはシャッターボックス２４を取り付け可能に形成されたもので、上記中枠２と、この中枠２よりも上方に延出された縦枠１の延長部２５と、この延長部２５の上端部に配される上枠４とから方形に枠組み形成されている。上記上枠４の屋外側には垂下縁３０が形成され、この垂下縁３０にはシャッターボックス２４の取付溝２７が形成されている。また、上枠４の屋内側には取付縁２８が上向きに形成され、取付縁２８の屋外側には係合溝２９が形成され、上枠４と中枠２の係合溝２９、１９には遮蔽板３１が係合されている。
　【００１４】
　次に、上記サッシを建屋開口部ｃに取り付けるときは、図３、図４に詳しく示すように、サッシ枠部ａの屋内側を建屋躯体の開口部ｃの内側に嵌合するとともにボックス取付枠部ｂを上記開口部ｃの上部に設けられた間の屋外側に配置し、縦枠１、上枠４、中枠２及び下枠３の各取付縁１０、２８、１８、２６をそれぞれ開口部ｃの柱７、まぐさ８、間柱９及び根太６に止着固定する。なお、サッシ枠部ａの受け縁１２、１７、２３は開口部ｃの額縁３２と床材３３にも当接させて止着固定する。
　【００１５】
　上記サッシを建屋開口部ｃに取り付けた後、サッシ枠部ａの内部に障子３４と網戸３５を摺動自在に収容するとともに、上記ボックス取付枠部ｂにはシャッターボックス２４を取付ける。この場合、シャッターボックス２４の裏側に形成された係止片３６をボックス取付枠部ｂの取付溝２７に係止させればよい。シャッターボックス２４にはシャッター３７を巻装した巻き上げドラム３８が回転自在に支持され、ここからシャッター３７を巻き戻してサッシ枠部ａのシャッターレール１３に摺動自在に係合させる。さらに、外壁を施工する。サッシの外周面をシーリング材３９によってシールし、柱７ａ、間柱９等の躯体基礎材の屋外側には外壁材４０を施工する。
　【００１６】
　なお、シャッターボックス２４は外壁を施工した後にボックス取付枠部ｂに取り付けてもよい。この場合、シャッターボックス２４の取り付けに多少日数がかかるようなことがあっても、ボックス取付枠部ｂには遮蔽板３１が配置されているから、雨仕舞が損なわれることがない。
　【００１７】
　上述のように、上記サッシは、サッシ枠部ａを建屋開口部ｃに、ボックス取付枠部ｂを上記開口部ｃの上部の躯体基礎材（間柱９）の屋外側に取り付け可能に形成されたものであるから、建屋開口部ｃを専用の大型の開口部にする必要がない。通常のサッシの開口部に取り付けることができる。したがって、設計が容易であるとともに、通常のサッシをシャッターボックス付きサッシに変更したり、シャッターボックス付きサッシを通常のサッシに変更することも自由に行なうことができる。
　【００１８】
　また、ボックス取付枠部ｂとシャッターボックス２４とは別個に構成されるので、保守等の作業時にシャッターボックス２４を取り外すのは簡単であり、シャッターボックスの交換も楽に行なうことができる。
　【００１９】
　さらに、シャッターボックス付きサッシの見込幅は建屋躯体の外壁の厚みよりも大きく形成され、ボックス取付枠部ｂは外壁にのみ込まれないので、シャッターボックス２４とは関係なく上記サッシの取り付け時に外壁も施工することができる。したがって、サッシの施工時にはシャッターボックス２４を外しておき、サッシ取付け後、ボックス取付枠部ｂにシャッターボックス２４を取り付けることができる。シャッターボックス２４がない状態ではサッシ全体の重量はあまり重くならず、上下の重さのバランスもよい。もちろん、シャッターボックス２４をボックス取付枠部ｂに取付けておいて外壁を施工してもよい。要するに、シャッターボックスの取付けは外壁に全く影響されないので、施工が楽である。
　【００２０】
　なお、サッシのボックス取付枠部ｂに予めシャッターボックス２４を取り付けておいてから、建屋開口部ｃに取り付けてもよい。
　【００２１】
　また、ボックス取付枠部ｂに対するシャッターボックス２４の取付態様は特に限定されない。どのように取り付けてもよい。上述の取付方式のほか、シャッターボックスに形成した取付縁（図示せず）を直接に取付枠部に外部からネジ止めするものでもよく、ネジ止めと係止とによる構成でもよい。
　【００２２】
　【発明の効果】
　本発明によれば、縦枠のサッシ枠部に対応する部分は、建屋開口部の内側に嵌合するように屋内側に張り出し形成され、上記縦枠のボックス取付枠部に対応する部分の屋内側端面は、建屋開口部を構成するまぐさの上部に設けられた躯体基礎材の屋外面に当接可能に形成されているから、サッシ枠部は通常のサッシの開口部に取り付けることができるとともに、ボックス取付枠部は通常のサッシの開口部のまぐさの上部の躯体基礎材に取り付けることができる。したがって、建屋開口部の大きさをボックス取付枠部をも含む専用の大型開口にする必要がない。また、設計や施工などが楽であるほか、通常のサッシをシャッターボックス付きサッシに変更したり、シャッターボックス付きサッシを通常のサッシに変更したりすることも自由に行なうことができる。
　【００２３】
　また、ボックス取付枠部とシャッターボックスとは別個に構成されるので、保守等の作業時にシャッターボックスを取り外すのは簡単であり、シャッターボックスの交換も楽に行なうことができる。
　【００２４】
　さらに、シャッターボックス付きサッシの見込幅は建屋躯体の外壁の厚みよりも大きく形成され、ボックス取付枠部は外壁にのみ込まれないので、シャッターボックスとは関係なく上記サッシの取り付け時に外壁も施工することができる。したがって、サッシの施工時にはシャッターボックスを外しておき、サッシ取付け後、ボックス取付枠部にシャッターボックスを取り付けることができる。シャッターボックスがない状態ではサッシ全体の重量はあまり重くならず、上下の重さのバランスもよい。もちろん、シャッターボックスをボックス取付枠部に取付けておいて外壁を施工してもよい。要するに、シャッターボックスの取付けは外壁に全く影響されないので、施工が楽である。
【図面の簡単な説明】
　【図１】
　本発明に係るシャッターボックス付きサッシの縦断面図
　【図２】
　標準の建屋開口部の正面図
　【図３】
　上記シャッターボックス付きサッシの縦断面図
　【図４】
　上記シャッターボックス付きサッシの横断面図
　【符号の説明】
ａ　サッシ枠部
ｂ　ボックス取付枠部
１　縦枠
２　中枠
３　下枠
４　上枠
２４　シャッターボックス
２５　延長部